(57)【要約】【課題】誤りの大きい受信データを受信した後も引き続き同じ方向への等化が行われることにより等化誤差が大きくなる問題点を解決し、等化誤差の少ない等化方向の等化データを順次採用して等化が行われる等化方法によって、常に良い方の受信データが採用されて行くことのできる「等化誤差比較による双方向等化方法」を提供する。【解決手段】本発明は、順方向等化によって得られた等化データの等化誤差と逆方向等化の等化誤差は、１シンボル毎に優劣比較が行われ、その結果、等化誤差の小さい方の等化データは順次採用され蓄積されるとともに、等化誤差の大きい方の等化データは次の優劣比較の対象として残されるように等化の処理が行われ、これにより１フレーム分の等化データが形成されたときに、受信出力データとすることを提供することにより上記課題を解決したものである。【選択図】      図３
2004180109.tif 000002
【特許請求の範囲】
【請求項１】
受信入力データは、フレーム毎に順方向等化と逆方向等化の処理が各フレームの入力順に行われる双方向等化方法において、
前記順方向等化によって得られた等化データの等化誤差と前記逆方向等化によって得られた等化データの等化誤差は、１シンボル毎に優劣比較が行われ、
該優劣比較の結果、等化誤差の小さい方の等化データは順次採用され蓄積されるとともに、該優劣比較の結果、等化誤差の大きい方の等化データは次の優劣比較の対象として残されるように等化の処理が行われ、
該等化の処理が行われた等化データにより１フレーム分の等化データが形成されたときに該等化処理された等化データはフレーム単位で取り出されて受信出力データとなることを特徴とする等化誤差比較による双方向等化方法。
【発明の詳細な説明】
【０００１】
【発明の属する技術分野】
本発明は、無線デジタル通信を行う際に、伝送路の擾乱によって生じた受信信号の歪を取り除いた受信データを得るために用いられる等化方法に関する。
【０００２】
【従来の技術】
従来は、図６ブロック図例に示すように、受信入力データメモリ１、トレーニング２（ＵＷ；Ｕｎｉｑｕｅ  Ｗｏｒｄ；同期確立用の信号）、等化部３及び受信出力データメモリ４を備えて等化を行う等化方法において、
図７の受信入力データ構成に示すように、受信した１フレームは、ＵＷ１０と受信データ部１１を有し、受信データ部１１には、二等分したデータ長（ＤＡＴＡ−１、ＤＡＴＡ−２）に分けられ、各ＤＡＴＡは１シンボル単位の系列で構成されている。
図７において、当該１フレームの等化は、ＵＷ１０から右方向へ行う順方向等化と次の１フレームのＵＷ１２から左方向へ行う逆方向等化がある。
順方向等化と逆方向等化の双方向から順に１シンボル毎に前記受信データ部１１の等化処理を行って、順方向と逆方向の等化処理されたそれぞれの等化データは受信出力データメモリ１３の左端と右端の双方向から順に蓄積され、１フレーム分の蓄積終了後に出力される等化方法があった。
しかし、この方法では、等化処理を行う範囲が、予め等化を行う方向及び等化範囲が二等分したデータ長と決められていることのため、フェージング等による伝送路の大きな擾乱による影響を受けたとき、図８に示すように、誤りの極めて大きいデータ２１が受信された際、等化は次のデータの等化にも使用（学習係数の更新処理）されて順次行うので、当該方向の後続等化処理において、誤りの極めて大きいデータ２１での極めて大きな等化誤差２２がその後の受信データ２３に対する等化にも前記の大きな等化誤差の影響が出てしまうことになる。
すなわち、図８の下側グラフには、等化誤差の大小を縦軸に、受信入力の時間軸を横軸に示しており、順方向において等化誤差が極めて大きく上昇して、その後、本来は等化誤差が小さくなるところが、その後のデータ２３においても等化誤差が増大することを示している。
【０００３】
従来、一時記憶した受信データを伝送路の遅延特性の変動が十分に小さい範囲の短区間データ系列に分割して、最小２乗法による遅延等化を行う方法がある。（例えば、特許文献１参照。）。
また、順方向等化用ＤＦＥ（Ｄｅｃｉｓｉｏｎ  Ｆｅｅｄｂａｃｋ  Ｅｑｕａｌｉｚｅｒ；判定帰還型等化部）と逆方向等化用ＤＦＥの２つを用いて受信バッファの前方からと後方からの両方向から等化を行っている。（例えば、特許文献２参照。）。
【０００４】
【特許文献１】
特開平５−４８４９８号公報（第２頁、請求項１）
【特許文献２】
特開平１１−２５１９８０号公報（第３頁、段落００１３）
【０００５】
【発明が解決しようとする課題】
従来方法では、前述の説明のように、フェージング等による伝送路の大きな擾乱により、一方の方向で誤りの大きいデータを受信した際、等化は当該データの等化誤差が次のデータの等化にも使用されて順次行われるので、当該方向の等化が続けられる間は、誤りの大きいデータのその後の受信データに対する等化にも前記の大きな等化誤差の影響が出てしまう欠点がある。
【０００６】
本発明の目的は、従来技術の問題点とされた、誤りの大きい受信データを受信した後も引き続き同じ方向への等化が行われることにより等化誤差が大きくなる問題点を解決し、等化誤差の少ない等化方向の等化データを順次採用して等化が行われる等化方法によって、常に良い方の受信データが採用されて行くことのできる「等化誤差比較による双方向等化方法」を提供することにある。
【０００７】
【発明を解決するための手段】
本発明による等化誤差比較による双方向等化方法は、受信入力データがフレーム毎に順方向等化と逆方向等化の処理が各フレームの入力順に行われる双方向等化方法において、
前記順方向等化によって得られた等化データの等化誤差と前記逆方向等化によって得られた等化データの等化誤差は、１シンボル毎に優劣比較が行われ、
該優劣比較の結果、等化誤差の小さい方の等化データは順次採用され蓄積されるとともに、該優劣比較の結果、等化誤差の大きい方の等化データは次の優劣比較の対象として残されるように等化の処理が行われ、
該等化の処理が行われた等化データにより１フレーム分の等化データが形成されたときに該等化処理された等化データはフレーム単位で取り出されて受信出力データとすることを提供することにより上記課題を解決したものである。
【０００８】
【発明の実施の形態】
本発明は、図１のブロック図例に示すように、受信入力データメモリ１、トレーニング（ＵＶ）２、等化部３、受信出力データメモリ４及び比較・判定５を備えて等化を行う等化方法である。等化を順方向と逆方向の双方向から行う点では従来の技術の項で説明したものと同様であるが、等化を行う範囲を順方向と逆方向それぞれの方向の互いの１シンボル単位での等化誤差の大小を比較し、等化誤差の小さい等化方向の等化データを順次採用して等化出力を得るようにされて、得られた等化データを受信出力データメモリへ蓄積するようにするものである。これにより、等化誤差の大きい等化方向の等化データは採用されず後続の等化に対する影響を避けることができるものである。
【０００９】
本発明の実施例は、図２に示されるように、先ず受信入力データの構成として、当該受信の１フレームは、ＵＷ１０、受信データ部１１を有し、受信データ部１１は、１シンボル分の先頭データ、各シンボル分のＤＡＴＡ、１シンボル分の末尾データで表わされ、次に、等化処理後に選ばれた等化データを蓄積する受信出力データ１３を有する。
当該フレームの等化処理には、当該フレームのＵＷ１０から受信データ部１１への順方向等化及び次フレームのＵＷ１２から受信データ部１１への逆方向等化として双方向からシンボル毎に順次行うものであり、順方向等化と逆方向等化のそれぞれシンボル毎に得られた等化誤差の大小を比較する等化誤差比較を有する。図２は、当該フレームの１シンボル分の先頭データと同フレームの１シンボル分の末尾データの等化誤差比較として、等化誤差比較１回目を表わしている。
【００１０】
等化誤差比較１回目の等化誤差の比較結果として、図３ケースＡでは、比較１回目の順方向等化側の等化誤差が小さい場合として示され、等化誤差が小さい順方向の受信データ１４が、比較１回目の判定結果の等化された等化データ１４ａとして正確な受信データと看做されて受信出力データ１３の先頭に蓄積される。
第１回目の等化結果、順方向等化の受信データ１４の等化誤差が小さいので、順方向等化を継続させると採用されて、従って第２回目の等化誤差比較のため次の１シンボル分の順方向受信データ１６に切り替えられて、この順方向等化が行われ等化誤差を得る。
一方、逆方向等化の受信データに関しては、そのまま第１回目に得られた等化誤差が残され第２回目の等化誤差として採用される。
このようにしてそれぞれ得られた等化誤差により第２回目の等化誤差比較が行われ、その結果得られた第２回目の等化データは受信出力データとして第１回目の等化データ１４ａの隣に蓄積される。
【００１１】
また、等化誤差比較１回目の等化誤差の比較結果として、図３ケースＢでは、比較１回目の逆方向等化側の等化誤差が小さい場合として示され、等化誤差が小さい逆方向の受信データ１５が、比較１回目の判定結果の等化された等化データ１５ａとして正確な受信データと看做されて受信出力データ１３の末尾に蓄積される。
第１回目の等化結果、逆方向等化の受信データ１５の等化誤差が小さいので、逆方向等化を継続させると採用されて、従って第２回目の等化誤差比較のため次の１シンボル分の逆方向受信データ１７に切り替えられて、この逆方向等化が行われ等化誤差を得る。
【００１２】
一方、順方向等化の受信データに関しては、そのまま第１回目に得られた等化誤差が残され第２回目の等化誤差として採用される。
このようにしてケースＢも、それぞれ得られた等化誤差により第２回目の等化誤差比較が行われ、その結果得られた第２回目の等化データは受信出力データとして第１回目の等化データ１５ａの隣に蓄積される。
【００１３】
以下同様の方法により、双方向から等化処理を進めながら等化誤差の小さい等化データが順次採用されて、受信出力データメモリに蓄積されて１フレーム分の処理を終了するまで続けられる。
【００１４】
図４では、前記図３ケースＡの説明にあるように順方向等化処理の場合として、順方向等化処理が継続して行われたとする、等化誤差比較ｎ回目の等化誤差の比較結果として、比較ｎ回目の順方向等化側の等化誤差が極めて大きい場合として示され、等化誤差が極めて大きい順方向の受信データ３１が、比較ｎ回目の判定結果の等化された等化データは前記図３ケースＢの説明にあるように、順方向等化処理の順方向等化データに代わり逆方向等化処理に切り替えられた逆方向等化データが正確な受信データと看做されて受信出力データメモリへ蓄積される。以降は等化誤差が小さい逆方向等化処理が継続されて、逆方向等化データが順次受信出力データメモリへ蓄積される。
【００１５】
以上の動作の説明と同じではあるが形を変え、主な動作フローとして図５フローチャートに示す。１フレーム分の等化処理には、開始ステップ５、受信ステップ１０を経て、順方向トレーニングステップ１５を行う、これは当該フレームのＵＷから、１シンボル分の先頭データを認識し、先頭データ以降の順方向として同期確立するものである。次に順方向先頭１シンボル等化ステップ２０を行い、順方向等化誤差出力ステップ２５を得る。
同様に逆方向トレーニングステップ３０を行う、これは次のフレームのＵＷから当該フレームの１シンボル分の末尾データを認識し、末尾データから溯る逆方向として同期確立するものである。次に逆方向末尾１シンボル等化ステップ３５を行い、逆方向等化誤差出力ステップ４０を得る。
次に、順方向等化誤差出力ステップ２５と逆方向等化誤差出力ステップ４０の比較として、双方向等化誤差比較ステップ４５を行う。
【００１６】
その結果、比較判定ステップ５０、即ち順方向等化誤差と逆方向等化誤差の大小比較を行い、その結果順方向等化誤差が小と出た場合は、ＹＥＳ側のフローチャートに入り順方向等化データの受信出力データメモリの順方向順に蓄積ステップ５５となる。次に、１フレーム分等化終了ステップ６０で１フレーム分等化を終わらせたかの判定を行い。結果ＹＥＳであれば、１フレーム分終了ステップ９５で終わる。１フレーム分等化終了ステップ６０での判定結果がＮＯであれば、順方向次の１シンボル等化ステップ６５、順方向等化誤差出力ステップ７０に入り、双方向等化誤差比較ステップ４５へ戻り、繰り返し等化処理ループとなる。
【００１７】
一方、比較判定ステップ５０、即ち順方向等化誤差と逆方向等化誤差の大小比較を行い、その結果逆方向等化誤差が小と出た場合は、ＮＯ側のフローチャートに入り逆方向等化データの受信出力データメモリの逆方向順に蓄積ステップ７５となる。次に、１フレーム分等化終了ステップ８０で１フレーム分等化を終わらせたかの判定を行い。結果ＹＥＳであれば、１フレーム分終了ステップ９５で終わる。１フレーム分等化終了ステップ８０での判定結果がＮＯであれば、逆方向次の１シンボル等化ステップ８５、逆方向等化誤差出力ステップ９０に入り、双方向等化誤差比較ステップ４５へ戻り、繰り返し等化処理ループとなる。
【００１８】
なお、図４、図５に示すように、トレーニング中（ＵＷの間）は、同期確立途上の状態のために、等化誤差がはじめ大きく、次第に小さくなる経過をたどり、受信データの先頭、末尾からは、同期途上に起きる等化誤差はなくなり、本来の伝送歪による等化誤差のみとなる。
【００１９】
【発明の効果】
以上のように、請求項１記載の発明によれば、フェージング等による伝送路の大きな擾乱により、誤りの大きいデータを受信した際、等化は当該データの等化誤差が次のデータの等化に影響されることを避けて等化誤差の小さい方向の等化処理を行うので、品質のよい受信データを得ることができる。
【図面の簡単な説明】
【図１】本発明の説明のブロック図である。
【図２】本発明の構成及び作用を説明する図である。
【図３】本発明の構成及び作用を説明する図である。
【図４】本発明の構成、作用及び特性を説明する図である。
【図５】本発明の作用を説明するフローチャート図である。
【図６】従来方法の説明のブロック図である。
【図７】従来方法の構成及び作用を説明する図である。
【図８】従来方法の構成、作用及び特性を説明する図である。
【符号の説明】
１  受信入力データメモリ
２  トレーニング（ＵＷ）
３  等化部
４  受信出力データメモリ
５  比較・判定
１０、１２  ＵＷ
１１  受信データ部
１３  受信出力データ
１４  １シンボル分の先頭データ
１５  １シンボル分の末尾データ
２１、３１  誤りの極めて大きいデータ
２２  等化誤差（大）
２３  その後のデータ
【図１】
2004180109.tif 000003
【図２】
2004180109.tif 000004
【図３】
2004180109.tif 000005
【図４】
2004180109.tif 000006
【図５】
2004180109.tif 000007
【図６】
2004180109.tif 000008
【図７】
2004180109.tif 000009
【図８】
2004180109.tif 000010